(57)【要約】【課題】      運動する物体に推力を与え、その運動に必要な動力エネルギーを抑制させ、有限な燃料資源の節約、炭酸ガス発生の減少、環境保全、併せ社会貢献を達成させる手段の実現と提供。【解決手段】    本発明は、放電現象から引力作用、推力を発生させる電極手段を運動する物体に用い備え、その物体の運動に推力を与え、その物体の運動に必要な動力エネルギーを抑制且つ節約させ、炭酸ガスの発生を減少させる手段を構成させて課題を達成させている。【選択図】図１
2009133294.tif 000002
【特許請求の範囲】
【請求項１】
導電性を持たせ円錐或いは角錐状の先端位置に１０３．７５度の尖角を有する高圧電源のアーノードを設け、上記アーノードの錐状外周面上その錐状方向に７６．２６度或いはそれ以下の巻線角度を有する錐状導電性の錐状巻線コイルを上記アーノード面に絶縁させて設け、上記錐状巻線コイルの巻方向巻端を同巻方向、同巻角度且つ反錐状方向に巻線を巻返させて形成させる反錐状巻線コイルを上記アーノードの錐状外周面上をその錐状方向に二分割させる位置に上記錐状巻線コイルの巻線と上記反錐状巻線コイルの巻線交差位置を合わせ揃え重ねさせて形成させる相対巻線コイルを設け、上記アーノードの外周面に絶縁させ支持可能に備え、上記相対巻線コイルの電流上流側巻端を高圧電源に接続し、他方の巻端を上記アーノードの反錐状方向側に接続させてアーノード電極を形成させて備え、カソード電極を上記アーノード電極に対を為させて備え、上記相対巻線コイルの電流上流側と上記カソード電極に高圧電源を印加させて上記アーノード電極に引力或いは推力を働かせて構成させるアーノード電極とその電極手段及びその装置。
【請求項２】
請求項１に記載のアーノード電極とその電極手段及びその装置に有って、備える相対巻線コイルの電流上流側に電流の逆流防止手段或いは半導体を備え、その電流上流側を三相交流高圧電源の各相高圧電源其々に接続させ、上記相対巻線コイルの電流下流側をアーノードの反錐状方向側に接続させて相対巻線コイル体を形成させて三個に設け、その相対巻線コイル体各々を独立させ、前記三個の相対巻線コイル体其々を形成する錐状巻線コイルと反錐状巻線コイル其々の巻線交差位置其々を上記アーノードの錐状外周面をその錐状方向に三分割させる位置其々に合わせ揃え上記三個の相対巻線コイル体其々を三重に重ねて形成させる多重巻線アーノード電極を上記アーノードの錐状外周面に絶縁させて支持可能に設け、前記多重巻線アーノード電極に対を為すカソード電極を設け備え、その電流上流側を三岐に分岐させ、その分岐其々に電流の逆流防止手段或いは半導体を設け備えてその電流の方向を制御させ、その電流上流側を上記三相交流高圧電源の各相高圧電源其々に備える上記電流の逆流防止手段或いは半導体の電流上流側に接続させ、上記多重巻線アーノード電極と上記カソード電極の電極間に上記三相交流高圧電源を印加させ、上記多重巻線アーノード電極に引力或いは推力を働かせて構成させる多重巻線アーノード電極とその電極手段及びその装置。
【請求項３】
運動する物体の運動方向或いは推進方向側に請求項１、２に記載のカソード電極を上記物体に支持可能絶縁させて設け備え、前記物体の運動方向或いは推進方向の反対側に請求項１、２に記載のアーノード電極或いは多重巻線アーノード電極を上記物体に支持可能絶縁させて設け備え、上記アーノード電極或いは多重巻線アーノード電極と上記カソード電極間に高圧電源或いは三相交流高圧電源を印加させて構成させ、上記物体に備える上記アーノード電極或いは多重巻線アーノード電極に引力或いは推力を働かせ上記物体を運動方向或いは推進方向に推進させる推進手段とその装置。
【請求項４】
連結し或いは同一、同時運動する複数な物体各々の運動方向或いは推進方向側に請求項１、２に記載のアーノード電極或いは多重巻線アーノード電極を上記物体各々に支持可能絶縁させて設け備え、上記物体各々の運動方向或いは推進方向の反対側に請求項１、２に記載のカソード電極を上記アーノード電極或いは多重巻線アーノード電極に対を為させて上記物体各々に支持可能絶縁させて設け備え、上記アーノード電極或いは多重巻線アーノード電極と上記カソード電極間に高圧電源或いは三相交流高圧電源を印加させて構成させ、備える上記アーノード電極或いは多重巻線アーノード電極に引力或いは推力を働かせ上記物体を運動方向或いは推進方向に推進させる推進手段とその装置。
【請求項５】
運動し推進力を生じさせる物体の推進方向側に請求項１、２に記載のカソード電極を上記物体に支持可能絶縁させて設け備え、前記カソード電極に対を為す請求項１、２に記載のアーノード電極或いは多重巻線アーノード電極を上記物体の反推進側に支持可能絶縁させて備え、前記アーノード電極或いは多重巻線アーノード電極と対を為す上記カソード電極間に高圧電源或いは三相交流高圧電源を印加させて構成させ、備える上記アーノード電極或いは多重巻線アーノード電極に引力或いは推力を働かせ上記物体を推進方向に推進させる推進手段とその装置。
【請求項６】
遠心力を生じさせる運動物体の回転中心側に請求項１、２に記載のアーノード電極或いは多重巻線アーノード電極を上記物体に支持可能絶縁させて設け備え、上記アーノード電極或いは多重巻線アーノード電極に対を為すカソード電極を上記物体の回転外周側に支持可能絶縁させて設け備え、対を為す双方の電極間に高圧電源或いは三相交流高圧電源を印加させて構成させ、備える上記アーノード電極或いは多重巻線アーノード電極に引力を働かせ上記物体の遠心力方向に引力を作用させる引力手段及びその装置。
【発明の詳細な説明】
【技術分野】
【０００１】  運動する物体に推進力を働かせる手段及び其の装置に関する。
【背景技術】
【０００２】  運動する物体の必要とする推進動力或いはエネルギーの供給を抑制し、有限な燃料資源の節約、炭酸ガスの発生を減少させ環境保全、併せ社会に貢献させる物体の推進手段とその装置類は少ない。
【発明の開示】
【発明が解決しようとする課題】
【０００３】  回転、走行、推進、飛行と運動する物体の動力エネルギーは燃料を主とする燃焼エネルギーを用いている。結果、炭酸ガスの発生問題は環境保全に大きな課題を提起させている。必然的に是正を免れないこれらの課題を解決すべく手段の実現が早期に求められている。
そこで、運動する物体の必要とする動力エネルギーを抑制させ、有限な燃料資源を節約し、発生する炭酸ガスを減少させ、環境保全、併せ社会に貢献する手段の実現とその提供にある。
【課題を解決するための手段】
【０００４】  導電性を持たせる錐状体の先端に１０３．７５度の尖角を有する高圧電源のアーノードを備え、その錐状外周面上に錐状方向７６．２６度或いはそれ以下の巻線角度を有する錐状巻線コイルと、巻方を同一とし巻方向を錐状巻線コイルに折り返す逆巻反錐状巻線コイルを、設けるアーノード外周面を錐状方向に二分割する線上位置各々に錐状巻線コイルと反錐状巻線コイルの巻線交差位置を合わせ揃え、重ねさせて形成させる相対巻線コイルを、アーノードの外周面上に支持可能絶縁させて配置し設け備え、備えるアーノードの反錐状側に相対巻線コイルの巻線下流巻端を接続させ、相対巻線コイルの巻線上流巻端を高圧電源に接続させてアーノード電極を形成させ、そのアーノード電極に対を為すカソード電極を支持可能絶縁させて設け備え、アーノード電極及びカソード電極間に高圧電源を印加させ、アーノード電極に引力或いは推力作用させるアーノード電極及びその電極手段及びその装置を構成させ、運動する物体の運動方向側にカソード電極を支持可能絶縁させて備え、備えるカソード電極に対を為すアーノード電極を支持可能絶縁させて物体の反運動方向側に備え、アーノード電極に働く引力、推力作用を運動する物体の運動方向に与え、物体を推進させる推進手段を構成させて課題を解決させている。
【発明の効果】
【０００５】  上述したように本発明は運動する物体に推力を働かせ、その必要な動力エネルギーを抑制させ、有限な燃料資源を節約し、燃焼に拘わる炭酸ガスの発生を減少させ、環境保全、社会に対する貢献は極めて高く意義は大きい。そして電力供給量の５０倍以上のエネルギーを引力或いは推進力として得ることができる。
【発明の実施するための最良の形態】
【０００６】  本発明は、運動する物体に備え、物体の運動方向に引力或いは推力を作用させる推進手段とその推進手段を構成させる高圧電源のアーノード電極とその電極に対を為すカソード電極或いはその電極手段とその装置である。
【０００７】  高圧電源を印加させ引力或いは推力を作用させるアーノードの材質は、珪素（Ｓｉ）を含有する合金を用い、導電性を持たせる。
鋭角な円錐状或いは角錐状のアーノードに１０３．７５度の尖角をその先端に設けて形成させる。尖角部のサイズは高圧電源の出力に比例させれば良い。
アーノードの外周面上にその錐状方向７６．２６度或いはそれ以下の巻線角度を有するコイルを錐状方向に巻き、錐状巻線コイルを形成させアーノードの外周面面に支持可能、絶縁させて設ける。
その錐状巻線コイルにそのコイルの巻端巻線を反錐状方向に巻返す反錐状巻線コイルを錐状巻線コイルに沿い重ねて設ける。
反錐状巻線コイルの巻方向、巻線角度は錐状巻線コイル同様とし、錐状巻線コイルの巻線と反錐状巻線コイルの巻線が相互に公差させる位置を、アーノードの外周面をその錐状方向に二分割させる位置の線上位置に合わせ揃え、重ねさせて支持可能に絶縁しアーノードの外周面に備える。
錐状巻線コイルの巻端をアーノードの反錐状方向側に接続させ、反錐状巻線コイルの巻端を高電圧電源に接続させて相対巻線コイルを形成させてアーノード電極を構成させる。
アーノード電極に対を為すカソード電極を設け備え、高圧電源に接続させてカソード電極を構成させ、アーノード電極、カソード電極に高圧電源を印加させて電極手段を構成させる。
【０００８】  運動する物体の運動方向側にカソード電極を絶縁支持させて備え、物体の運動方向反対側にアーノード電極を絶縁支持させて備え、アーノード電極及びカソード電極間に高圧電源を印加させる手段を用い高圧電源を印加させる。
印加させる電源の電圧は２５万ボルト程度で良い。電流値は高くない。
供給する電力出力は運動する物体の重量を基準とし１０Ｗ／Ｋｇ／Ｈｒとする。
【図面の簡単な説明】
【０００９】
【図１】  請求項１の構成説明図、請求項１の実施説明図
【図２】  請求項１の実施例、回転体に装着の例
【図３】  請求項１、２の実施例、風車に装着の実施例、貨物車に装着の実施例、船舶に装着の実施例
【図４】  請求項１、２の実施例、グライダー、ヘリコプターに装着の実施例
【符号の説明】
【００１０】Ａ    回転体、回転する回転体
Ｂ    アーノード、アーノード電極、多重巻線アーノード電極
Ｂ１  アーノード、アーノード電極、多重巻線アーノード電極
Ｃ    絶縁
ＣＤ  高圧電源の供給手段
Ｄ    カソード電極
Ｄ１  カソード電極
Ｅ    回転
Ｆ１  放電或いは放出イオン或いは電子の流れ
Ｆ２  放電或いは放出イオン或いは電子の流れ
ＧＦ  引力作用、推力作用
１    アーノード
２    カソード
３    絶縁
４    高電圧の印加手段
５    高電圧の印加手段
６    放電或いは放出イオン或いは電子の流れ
７    引力作用、推力作用
８    錐状巻線コイル
９    反錐状巻線
１０  相対巻線コイル、相対巻線コイル体
１１  高電圧の印加手段
１２  多重巻線アーノード電極
１３  錐状外周面の錐状方向３分割位置、分割線
１４  電流の逆流防止手段或いは半導体
１５  電流の逆流防止手段或いは半導体
１６  三相交流高圧電源の各相高圧電源
１７  錐状巻線コイルの巻線と反錐状巻線コイルの巻線公差位置
【図１】
2009133294.tif 000003
【図２】
2009133294.tif 000004
【図３】
2009133294.tif 000005
【図４】
2009133294.tif 000006